(57)【要約】【課題】簡素な構成ながら、広い範囲で対象物を検出できるレーザレーダを提供する。【解決手段】ポリゴンミラーＰＭを正面に向いた位置から４５度回転させたとき、左側にある第１の受光部ＰＤ１は、反射面ＭＲ２で反射して右方向から戻ってくる対象物からの反射光を受光することなく、反射面ＭＲ１で反射して左方向から戻ってくる対象物の反射光のみ受光することができる。同様に、右側にある第２の受光部ＰＤ２は、反射面ＭＲ１で反射して左方向から戻ってくる対象物からの反射光を受光することなく、反射面ＭＲ２で反射して右方向から戻ってくる対象物の反射光のみ受光することができる。【選択図】図３
2014115182.tif 000002
【特許請求の範囲】
【請求項１】
回転軸に対して傾いた複数の反射面を備えた回転するポリゴンミラーと、
前記ポリゴンミラーの反射面を介して、対象物に向けて光束を出射する投光系と、
前記対象物からの反射光を、前記ポリゴンミラーの反射面を介して受光する受光系とを有し、
前記投光系と前記受光系の光軸は、前記反射面と交差した後に、互いに平行となるように配置されており、
前記受光系は、走査する角度範囲の中心を挟んで両側に並べて複数の受光部を配置していることを特徴とするレーザレーダ。
【請求項２】
前記受光系は、第１の受光部と第２の受光部とを有し、前記ポリゴンミラーが第２の角度範囲にある時に、前記投光系から出射され、前記対象物から反射した光束を、前記ポリゴンミラーの一つの反射面で反射して、前記第１の受光部で検出可能であるとともに、前記投光系から出射され、前記対象物から反射した光束を、前記ポリゴンミラーの別の反射面で反射して、前記第２の受光部で検出可能であることを特徴とする請求項1に記載のレーザレーザ。
【請求項３】
前記ポリゴンミラーが前記第２の角度範囲とは異なる第１の角度範囲にある時に、前記投光系から出射され、前記対象物から反射した光束を、前記ポリゴンミラーの同じ反射面で反射して、前記第１の受光部及び前記第２の受光部で検出することを特徴とする請求項２に記載のレーザレーザ。
【請求項４】
前記投光系と前記受光系は、前記ポリゴンミラーに対して回転軸方向にシフトして配置されていることを特徴とする請求項１〜３のいずれかに記載のレーザレーダ。
【請求項５】
前記ポリゴンミラーの複数の反射面は、前記回転軸に対して互いに異なる角度で傾斜していることを特徴とする請求項１〜４のいずれかに記載のレーザレーザ。
【請求項６】
車載用であることを特徴とする請求項１〜５のいずれかに記載のレーザレーダ。
【発明の詳細な説明】
【技術分野】
【０００１】
本発明は、レーザ光等を照射して物体を検出するレーザレーダに関する。
【背景技術】
【０００２】
対象物までの距離を測定する装置として、対象物に向かってレーザ光を出射するレーザ光源を含む投光光学系と、対象物に当たって反射したレーザ光の反射光を受光する受光光学系を用いたレーザレーダが知られている。
【０００３】
このようなレーザレーダにおいて、レーザ光源を非常に短い時間、例えば１０ｎｓ程度だけパルス状に発光させ、投光光学系を介して対象物に向けてレーザ光を出射すると、出射されたレーザ光は即座に対象物で反射され、受光光学系を介して受光素子で受光される。ここで、レーザ光の出射と受光の時間差は、レーザ光が対象物までの距離を往復する時間であるから、この時間差に光速を乗じ、２で除すれば対象物までの距離が得られることとなる。
【０００４】
一般的なレーザレーダにおいて、投光系は、レーザーダイオードとコリメーターから構成されており、受光系は、受光レンズ（またはミラー）とフォトダイオードなどの光検出素子から構成されている。投光系と受光系との間には、ポリゴンミラーが配置され、ポリゴンミラーの回転によって、投光系から出射された光束を回転する反射面で走査して、対象物に照射し、反射する光を反射面で反射して受光系で受光することができる。このように、投光時と受光時にポリゴンミラーの同一反射面を使うことで、外乱光に強い構成を取ることが出来る（特許文献１参照）。又、特許文献２には、ポリゴンミラーの回転軸と投光系の光軸を平行に近い角度にして光を入射することで、歪曲収差を抑えることができる技術が開示されている。
【０００５】
特に、車載用のレーザレーダは、障害物を事前に検知して車の最適な制動を行わせる用途で用いられるため、水平方向は広角な視野で障害物を検出することが求められる。しかし、受光光学系に広い視野を持たせると、外乱光の影響を受けやすくなり、ＳＮ比が低下するため好ましくない。
【０００６】
これに対し特許文献３においては、出射光路を異なる方向に向けた２つの投光系より、
回転するポリゴンミラーに向かって２つの光束を出射し、１つの反射面で反射した一方の光束により、前方の略左側を走査するとともに、別の反射面で反射した他方の光束により、前方の略右側を走査することで、広範囲な走査範囲を得ることができるレーザレーダが開示されている。
【先行技術文献】
【特許文献】
【０００７】
【特許文献１】特開２０１０−１９７３４１号公報
【特許文献２】特開平０９−２７４０７６号公報
【特許文献３】特開２０１０−７１７２５号公報
【発明の概要】
【発明が解決しようとする課題】
【０００８】
しかるに、特許文献３のレーザレーダは、投光系を２つ設置する必要があり、構成のコンパクト化を図れず、コストも増大するが、特に車載用のレーザレーダでは問題となっている。
【０００９】
本発明は、上記従来技術の課題に鑑みてなされたものであり、簡素な構成ながら、広い範囲で対象物を検出できるレーザレーダを提供することを目的とする。
【課題を解決するための手段】
【００１０】
請求項１に記載のレーザレーダは、
回転軸に対して傾いた複数の反射面を備えた回転するポリゴンミラーと、
前記ポリゴンミラーの反射面を介して、対象物に向けて光束を出射する投光系と、
前記対象物からの反射光を、前記ポリゴンミラーの反射面を介して受光する受光系とを有し、
前記投光系と前記受光系の光軸は、前記反射面と交差した後に、互いに平行となるように配置されており、
前記受光系は、走査する角度範囲の中心を挟んで両側に並べて複数の受光部を配置していることを特徴とする。
【００１１】
例えば、単一の受光部を有する受光系を持つ従来のレーザレーダにおいて、対象物からの反射光を、ポリゴンミラーの反射面を介して受光部で受光する場合、ポリゴンミラーの反射面同士の境界（稜線）をまたいで反射光を受光する際に、いずれの反射面から受光した光かを分別できない。従って、対象物からの反射光が、ポリゴンミラーの反射面同士の境界をまたぐ位置では測定不能になるから、本来的に検出範囲が狭くなってしまうという問題がある。
【００１２】
そこで、本発明の前記受光系では、走査する角度範囲の中心を挟んで両側に並べて複数の受光部を配置したのである。つまり、前記ポリゴンミラーの反射面上での受光光路を、投光光路を挟んで複数路に分けて配置することで、前記ポリゴンミラーの反射面同士の稜線を境に２つの方向にレーザ光が分かれた場合でも、障害物からの反射光を受光系側で適切に分離することが可能になる。
【００１３】
例を挙げて、本発明の原理を説明する。比較例として、図１に示すように４つの側面が反射面であるポリゴンミラーＰＭと１つの投光系ＬＰ及び受光系ＬＲを有するレーザレーダを考える。投光光路は実線で示し、受光光路は点線で示す。ポリゴンミラーＰＭは回転軸ＲＯ回りに回転するので、図１に示すように、１つの反射面ＭＲ１が正面（受光系ＬＲ側）を向いている角度位置の場合、受光系ＬＲは、不図示の対象物から反射光を受光する。
【００１４】
一方、図１の状態からポリゴンミラーＰＭが45度回転すると、図２に示すように、投光系ＬＰから出射されたレーザ光がポリゴンミラーＰＭの反射面ＭＲ１，ＭＲ２の間の稜線ＢＤを境に２面に当たるようになり、左右に分かれて投光されることとなる。その後、２つのレーザ光が異なる対象物に当たって反射するので、この２つの反射光は、レーザ光の当たった反射面ＭＲ１，ＭＲ２の２面でそれぞれ反射し、受光系ＬＲの同じ受光部ＰＤで受光することになる。しかるに、受光部ＰＤから出力される信号は、異なる対象物から反射した２つの反射光の和に相当するので、いずれの障害物に対して検出を行ったのか判断できないのである。
【００１５】
そこで、本発明では、複数の受光部を用いることで、２方向の測距可能にするのである。一例として、図３に示すように、４つの側面が反射面であるポリゴンミラーＰＭと、投光系ＬＰと、２つの受光部ＰＤ１，ＰＤ２を有する受光系ＲＰを設けるのである。２つの受光部ＰＤを、ポリゴンミラーＰＭの反射面上でのレーザ光のスポットサイズよりも広く間隔を開けて配置した場合、図３に示すように、ポリゴンミラーＰＭを正面に向いた位置から４５度回転させたとき、左側にある第１の受光部ＰＤ１は、反射面ＭＲ２で反射して右方向から戻ってくる対象物からの反射光を受光することなく、反射面ＭＲ１で反射して左方向から戻ってくる対象物の反射光のみ受光することができる。同様に、右側にある第２の受光部ＰＤ２は、反射面ＭＲ１で反射して左方向から戻ってくる対象物からの反射光を受光することなく、反射面ＭＲ２で反射して右方向から戻ってくる対象物の反射光のみ受光することができる。従って、単一の受光部では実現できなかった、反射面稜線近くまでポリゴンミラーＰＭが回転した際の検出が可能になるから、ポリゴンミラーＰＭの角度位置にかかわらず、対象物の測距が可能になり、広い走査範囲で対象物を走査検出できることとなる。
【００１６】
更に、本発明によれば、２方向にレーザ光が反射されない場合でも有効である。例えば、図４に示すように、ポリゴンミラーＰＭを正面に向いた位置から約３０度回転させたとき、投光系ＬＰからの出射光は、反射面ＭＲ１のみに反射して１方向に向かうが、受光部が１つのみであると、レーザ光の当たった反射面ＭＲ１に隣接する反射面ＭＲ２から、太陽光や車のヘッドライトなどの背景光を受光する恐れがあり、これによりノイズが増えることになるが、本発明によれば、２つの受光部を用いることで、投光系ＬＰから出射した光が単一の反射面ＭＲ１にのみ入射する、ポリゴンミラーＰＭの角度範囲では、一方の受光部のみを有効とし、残りを無効とすることで、ノイズの影響を抑えることができる。
【００１７】
受光部は最低限２組あれば有効になる。受光部が多くなるほど部品点数が多くなり、信号管理が複雑になったり、各受光部の位置調整を行なうためコストアップするという課題はあるが、受光部を増やすことで分解能が上がる。特に、３つ以上の受光部を有する場合でも同様に、受光部を走査する角度範囲の中心を挟んで両側に並べて配置することで、本発明の効果を発揮できる。受光部を多くすることで分解能が上がるため、角度ごとにどの受光部の出力を使うか細かく決定することが出来る。ここで、「受光部」とは、受光量に応じた信号を独立して出力できるものをいい、同じ光検出器でも、光学系を複数持ち、異なる光学系を通した受光位置で独立して信号を出力できるものは、複数の受光部を有するものとする。又、「前記投光系と前記受光系の光軸が、前記反射面と交差した後に、互いに平行となるように配置されている」とは、例えば前記投光系と前記受光系とが、前記反射面に対して前記ポリゴンミラーの回転軸方向にシフトして配置されていて、その光軸が回転軸に対して傾いている場合、又は元々回転軸に平行である場合の他、前記投光系と前記受光系の光軸をミラー等で折り曲げて、前記反射面と交差する際に回転軸と平行とする場合等であっても、前記反射面と交差した後に互いに平行となる限り、その配置は任意である。又、前記ポリゴンミラーの反射面を介して投光した光を、同じ前記ポリゴンミラーの反射面を介して受光できる範囲で、前記投光系と前記受光系の光軸が平行でなく角度差を持っていてもよい。ただし、受光面積を広げて受光することになるから、背景光を受光する範囲が多くなり、S/Nが悪化し、効率が悪くなる恐れがあるので、前記投光系と前記受光系の光軸は平行に近いことが好ましい。更に、「走査する角度範囲の中心」とは、前記投光系の光軸が前記ポリゴンミラーの反射面上で交差する点と、前記ポリゴンミラーの回転軸上で前記投光系の光軸が前記ポリゴンミラーの反射面で交差する点と同じ高さの点の、２点間の水平方向の角度をいうものとする。
【００１８】
請求項２に記載のレーザレーダは、請求項１に記載の発明において、前記受光系は、第１の受光部と第２の受光部とを有し、前記ポリゴンミラーが第２の角度範囲にある時に、前記投光系から出射され、前記対象物から反射した光束を、前記ポリゴンミラーの一つの反射面で反射して、前記第１の受光部で検出可能であるとともに、前記投光系から出射され、前記対象物から反射した光束を、前記ポリゴンミラーの別の反射面で反射して、前記第２の受光部で検出可能であることを特徴とする。
【００１９】
第２の角度範囲として、ポリゴンミラーＰＭの反射面の中心が、走査する角度範囲の中心面と重なる位置から、例えば−４７度〜−４０度、又は＋４０度〜＋４７度の範囲を定めたとき、図３に示すように、前記ポリゴンミラーＰＭが第２の角度範囲に回転すると、左側にある第１の受光部ＰＤ１は、反射面ＭＲ２で反射して右方向から戻ってくる対象物からの反射光を受光することなく、反射面ＭＲ１で反射して左方向から戻ってくる対象物の反射光のみ受光することができる。同様に、右側にある第２の受光部ＰＤ２は、反射面ＭＲ１で反射して左方向から戻ってくる対象物からの反射光を受光することなく、反射面ＭＲ２で反射して右方向から戻ってくる対象物の反射光のみ受光することができる。尚、「検出可能」とは、必ずしも検出することを意味せず、検出可能な位置に配置されていれば足りる。
【００２０】
請求項３に記載のレーザレーダは、請求項２に記載の発明において、前記ポリゴンミラーが前記第２の角度範囲とは異なる第１の角度範囲にある時に、前記投光系から出射され、前記対象物から反射した光束を、前記ポリゴンミラーの同じ反射面で反射して、前記第１の受光部及び前記第２の受光部で検出することを特徴とする。
【００２１】
後述する図６に示すように、第１の角度範囲として、ポリゴンミラーＰＭの反射面の中心が、走査する角度範囲の中心面と重なる位置から、例えば−４０度〜＋４０度の範囲を定めたとき、前記ポリゴンミラーＰＭが第１の角度範囲に回転すると、同じ反射面からの反射光を受光部ＰＤ１，ＰＤ２が受光することができる。ポリゴンミラーＰＭが正面を向いているような場合は、2つの受光部ＰＤ１，ＰＤ２はともに、同方向の対象物の反射光を受光するため、受光部ＰＤ１，ＰＤ２からの出力結果を分離する必要が無い。２つの受光部ＰＤ１，ＰＤ２の出力を加算することで、受光光量が多くなり測定距離も長くすることが出来る。尚、第１の角度範囲と、第２の角度範囲は、以上の例には限られない。
【００２２】
請求項４に記載のレーザレーダは、請求項１〜３のいずれかに記載の発明において、前記投光系と前記受光系は、前記ポリゴンミラーに対して回転軸方向にシフトして配置されていることを特徴とする。
【００２３】
これにより、レーザレーダの回転軸回りの部品配置を効率化し、コンパクト化を図れる。
【００２４】
請求項５に記載のレーザレーダは、請求項１〜４のいずれかに記載の発明において、前記ポリゴンミラーの複数の反射面は、前記回転軸に対して互いに異なる角度で傾斜していることを特徴とする。
【００２５】
前記ポリゴンミラーの複数の反射面の面角度が異なることで、反射面ごとの走査する角度が変わることになる。そのため４つの反射面を有するポリゴンミラーである場合、全ての面角度が異なることで、４つの走査ラインを得ることが出来る。それにより、垂直方向にも測定範囲が広がる。しかるに、反射面数を増やすことで、垂直方向は測定範囲を増やすことが出来る一方で、反射面数を増やすことにより面の境界間角度が小さくなるため、それに応じて水平方向の走査角が小さくなる傾向があるが、本発明のように受光系を配置することで、各面の走査角を広くとることが可能になる。
【００２６】
請求項６に記載のレーザレーダは、請求項１〜５のいずれかの発明において、車載用であることを特徴とする。本発明のレーザレーダは、車載用として好適である。
【発明の効果】
【００２７】
本発明によれば、簡素な構成ながら、広い範囲で対象物を検出できるレーザレーダを提供することができる。
【図面の簡単な説明】
【００２８】
【図１】比較例のレーザレーダを示す図である。
【図２】比較例のレーザレーダを示す図である。
【図３】本発明の一例にかかるレーザレーダを示す図である。
【図４】比較例のレーザレーダを示す図である。
【図５】本実施の形態にかかるレーザレーダを車両に搭載した状態を示す概略図である。
【図６】本実施の形態にかかるレーザレーダの概略構成図である。
【図７】本実施の形態にかかるレーザレーダの概略構成図である。
【図８】レーザレーダＬＲで走査する対象領域に対応する画面を示す図である。
【図９】変形例にかかるレーザレーダの概略構成図である。
【図１０】別な変形例にかかるレーザレーダの概略構成図である。
【発明を実施するための形態】
【００２９】
以下、添付した図面を参照しながら、本発明の実施形態を説明する。図５は、本実施の形態にかかるレーザレーダを車両に搭載した状態を示す概略図である。本実施の形態のレーザレーダＬＲは、車両１のフロントウィンドウ１ａの背後、もしくはフロントグリル１ｂの背後に設けられている。
【００３０】
図６は、本実施の形態にかかるレーザレーダＬＲの概略構成図であり、水平方向に沿ってみた図であり、図７は、レーザレーダＬＲを垂直方向に沿って下方より見た図である。構成要素の形状や長さ等、実際と異なる場合がある。ここで、レーザレーダＬＲのポリゴンミラーの回転軸方向であって鉛直方向をＺ方向とし、Ｚ方向に直交する方向をＹ方向及びＸ方向とする。レーザレーダＬＲは、例えば、レーザ光束を出射する半導体レーザＬＤと、半導体レーザＬＤからの発散光を平行光に変換するコリメートレンズＣＬと、コリメートレンズＣＬで平行とされたレーザ光を、回転する反射面により対象物ＯＢＪ側（図５）に向かって走査投光すると共に、走査投光された対象物ＯＢＪからの反射光を反射させるポリゴンミラーＰＭと、ポリゴンミラーＰＭで反射された対象物ＯＢＪからの反射光を集光する第１レンズＬＳ１と、第１レンズＬＳ１により集光された光を受光する第１の受光部としての第１フォトダイオードＰＤ１と、対象物ＯＢＪからの反射光を集光する第２レンズＬＳ２と、第２レンズＬＳ２により集光された光を受光する第２の受光部としての第２フォトダイオードＰＤ２とを有する。
【００３１】
ここで、半導体レーザＬＤと、コリメートレンズＣＬとで投光系ＬＰを構成し、第１レンズＬＳ１と、第１フォトダイオードＰＤ１と、第２レンズＬＳ２と、第２フォトダイオードＰＤ２とで受光系ＲＰを構成する。これらは、ポリゴンミラーＰＭの回転軸ＲＯに対して、正面側（車両前方方向）に配置され、且つ反射面に対して回転軸方向にシフトして、すなわち鉛直方向下方（上方でも良い）に配置されている。
【００３２】
図７を参照して、投光系ＬＰの光軸は、出射光束をポリゴンミラーＰＭの回転軸ＲＯに平行に向けるように配置しており、つまり半導体レーザＬＤの出射面の法線は回転軸ＲＯと平行である。又、受光系ＲＰの２つの光軸も、回転軸ＲＯと平行になるよう配置しており、つまり第１フォトダイオードＰＤ１と第２フォトダイオードＰＤ２の受光面の法線は、それぞれ回転軸ＲＯと平行である。第１フォトダイオードＰＤ１と第２フォトダイオードＰＤ２は、走査する角度範囲の中心面ＰＬ（ここでは回転軸ＲＯを含み車両前方方向を向いた面）を挟んで両側に、中心面ＰＬから等距離で配置されているが、図７に示すように回転軸ＲＯまでの距離は、互いに異ならせると良い。これにより、第１レンズＬＳと第２レンズＬＳ２とを極力近づけることができる。但し、第１フォトダイオードＰＤ１と第２フォトダイオードＰＤ２を、回転軸ＲＯから等距離に配置しても良い。但し、投光系ＬＰと受光系ＲＰの光軸は、反射面と交差した後に互いに平行となるように配置されている。
【００３３】
ポリゴンミラーＰＭは、側面に複数の反射面ＭＲ１〜ＭＲ４を有しており、各反射面ＭＲ１〜ＭＲ４は、垂直方向に沿った回転軸ＲＯに対してそれぞれ異なる角度で僅かに傾いている。
【００３４】
なお、走査投光を行うための反射面を有するものとしてはポリゴンミラーが特に有効であるが、その他の走査デバイスを用いてもよい。
【００３５】
次に、図５〜８を参照して、レーザレーダＬＲの測距動作について説明する。半導体レーザＬＤからパルス状に間欠的に出射された発散光は、コリメートレンズＣＬで平行光束に変換され、回転するポリゴンミラーＰＭを介して対象物ＯＢＪ側に走査投光される。
【００３６】
図８は、ポリゴンミラーＰＭの回転に応じて、出射するレーザ光（ハッチングで示す）で、レーザレーダＬＲの検出範囲である画面Ｇ上を走査する状態を示す図である。ポリゴンミラーＰＭの反射面ＭＲ１〜ＭＲ４は、それぞれ回転軸ＲＯに対して異なる角度で傾いており、レーザ光は対面する反射面ＭＲ１〜ＭＲ４にて順次反射することとなる。まず反射面ＭＲ１で反射したレーザ光は、ポリゴンミラーＰＭの回転に応じて、画面Ｇの一番上の領域ＬＮ１を水平方向に左から右へと走査される。次に、反射面ＭＲ２で反射したレーザ光は、ポリゴンミラーＰＭの回転に応じて、画面Ｇの上から二番目の領域ＬＮ２を水平方向に左から右へと走査される。次に、反射面ＭＲ３で反射したレーザ光は、ポリゴンミラーＰＭの回転に応じて、画面Ｇの上から三番目の領域ＬＮ３を水平方向に左から右へと走査される。次に、反射面ＭＲ４で反射したレーザ光は、ポリゴンミラーＰＭの回転に応じて、画面Ｇの最も下の領域ＬＮ４を水平方向に左から右へと走査される。これにより１画面の走査が完了する。そして、ポリゴンミラーＰＭが１回転した後、反射面ＭＲ１が戻ってくれば、再び画面Ｇの一番上からの走査を繰り返す。
【００３７】
図６，７において、走査投光された光束のうち対象物ＯＢＪに当たって反射したレーザ光は、再びポリゴンミラーＰＭに入射して反射され、第１レンズＬＳ１と第２レンズＬＳ２により集光され、それぞれ第１フォトダイオードＰＤ１と第２フォトダイオードＰＤ２の受光面で検知されることとなる。
【００３８】
ここで、図６，７に示すように、回転するポリゴンミラーＰＭのうち１つの反射面ＭＲ１がほぼ正面に向いたとき（第２の角度範囲として中心面ＰＬに対し反射面の中心が重なる位置から±４０度）は、対象物ＯＢＪに当たって反射したレーザ光は、再びポリゴンミラーＰＭの同じ反射面ＭＲ１で反射して、第１レンズＬＳ１と第２レンズＬＳ２により集光され、それぞれ第１フォトダイオードＰＤ１と第２フォトダイオードＰＤ２の受光面に入射するので、第１フォトダイオードＰＤ１と第２フォトダイオードＰＤ２の出力の和を用いて、対象物ＯＢＪまでの距離を演算する。
【００３９】
一方、図３に示すように、ポリゴンミラーＰＭの２つの反射面ＭＲ１、ＭＲ２の境界ＢＤ付近に、半導体レーザＬＤからの出射光が当たるような角度位置（第１の角度範囲として中心面ＰＬに対し反射面の中心が重なる位置から−４７度〜−４０度、又は＋４０度〜＋４７度）にポリゴンミラーＰＭが回転したときは、測距したい対象物ＯＢＪに当たって反射したレーザ光は、ポリゴンミラーＰＭの反射面ＭＲ１（又はＭＲ２）でのみ反射するので、第１レンズＬＳ１を介して受光面に集光した第１フォトダイオードＰＤ１の出力のみを用いて、対象物ＯＢＪまでの距離を演算する。この場合、第２レンズＬＳ２を介して第２フォトダイオードＰＤ２の受光面に集光した光はノイズとなるからであり、第２フォトダイオードＰＤ２の出力を無視することで、高精度な測定を行うことができる。
【００４０】
尚、投光系ＬＰ、受光系ＲＰの光軸は、図９に示すように、ポリゴンミラーＰＭの回転軸ＲＯに対して傾いていても良い。図９（ａ）の例では、投光系ＬＰの光軸ＬＰＸと、受光系ＲＰ（１つのみ図示）の光軸ＲＰＸは、その延長線がポリゴンミラーＰＭ上方で回転軸ＲＯに近づくような配置となっている。一方、図９（ｂ）の例では、投光系ＬＰの光軸ＬＰＸと、受光系ＲＰ（１つのみ図示）の光軸ＲＰＸは、その延長線がポリゴンミラーＰＭ上方で回転軸ＲＯから離れるような配置となっている。
【００４１】
更に、図１０に示す例では、半導体レーザＬＤとコリメートレンズＣＬとの間にミラーＭ１を設けて、光軸を９０度折り曲げており、第１レンズＬＳ１（紙面垂直方向に重なる第２レンズＬＳ２）と第１フォトダイオードＰＤ１（紙面垂直方向に重なる第２フォトダイオードＰＤ２）との間に、ミラーＭ２を設けて光軸を９０度折り曲げている。この例でも、反射面ＭＲ１と交差する投光系ＬＰ及び受光系ＲＰの光軸は、回転軸ＲＯと平行である。それ以外の構成は上述した実施の形態と同様である。
【００４２】
本発明は、明細書に記載の実施例に限定されるものではなく、他の実施例・変形例を含むことは、本明細書に記載された実施例や思想から本分野の当業者にとって明らかである。明細書の記載及び実施例は、あくまでも例証を目的としており、本発明の範囲は後述するクレームによって示されている。例えば、ポリゴンミラーは四角柱でなく、六角柱や八角柱であっても良い。又、レーザレーダＬＲは、車両の中央に限らず４隅に配置して、走査範囲の中心が進行方向に対して４５度傾いた範囲を走査するようにしても良い。これにより、更に広範囲の対象物を走査できる。更に、ポリゴンミラーの回転軸が必ずしも地面に対して垂直になっていなくてもよく、図９に示す光軸のように中心面PL方向に傾いていても良く、受光光学系はレンズの他に、ミラーを用いて集光してもよい。
【符号の説明】
【００４３】
１ 車両
１ａ フロントウィンドウ
１ｂ フロントグリル
ＢＤ            境界
ＣＬ            コリメートレンズ
Ｇ            画面
ＬＤ            半導体レーザ
ＬＮ１−ＬＮ４        画面の領域
ＬＰ            投光系
ＬＰＸ            投光系の光軸
ＬＲ            レーザレーダ
ＬＳ１            第１レンズ
ＬＳ２            第２レンズ
ＭＲ１-ＭＲ４        反射面
Ｍ１、Ｍ２        ミラー
ＯＢＪ            対象物
ＰＤ１            第１フォトダイオード
ＰＤ２            第２フォトダイオード
ＰＬ            中心面
ＰＭ            ポリゴンミラー
ＲＯ            回転軸
ＲＰ            受光系
ＲＰＸ            受光系の光軸
【図１】
2014115182.tif 000003
【図２】
2014115182.tif 000004
【図３】
2014115182.tif 000005
【図４】
2014115182.tif 000006
【図５】
2014115182.tif 000007
【図６】
2014115182.tif 000008
【図７】
2014115182.tif 000009
【図８】
2014115182.tif 000010
【図９】
2014115182.tif 000011
【図１０】
2014115182.tif 000012